(57)【特許請求の範囲】
【請求項１】
建造物の外面を構成するパネルの中間部を支持して、このパネルがこの建造物の内外方向に関して過度に撓むの防止する、パネルの中間部支持装置であって、上記建造物に固定した支持柱に、この支持柱から屋外側に向け突出する状態で支持固定された結合梁と、この結合梁の先端部に、水平方向に配置された横軸を中心とする揺動変位自在に支持された揺動ブラケットと、上記パネルの中間部に支持された状態で、且つこの揺動ブラケットに対し上下方向に重畳した状態で設けられたパネル側結合ブラケットと、このパネル側結合ブラケットと上記揺動ブラケットとのうちの一方のブラケットに上下方向に支持されたピンと、これらパネル側結合ブラケットと揺動ブラケットとのうちの他方のブラケットに上下方向に形成された挿入孔とを備え、この挿入孔内に上記ピンを緩く挿入する事により、上記パネル側結合ブラケットの上記建造物の内外方向に関する変位を抑えたパネルの中間部支持装置。
【発明の詳細な説明】
【０００１】
【発明の属する技術分野】
この発明に係るパネルの中間部支持装置は、ビルディングの壁面を構成するガラスパネルの中間部を支持し、強風時等にこのガラスパネルが上記ビルディングの内外方向に関して過度に撓む事を防止する。
【０００２】
【従来の技術と発明が解決しようとする課題】
ビルディングの外壁面をガラスパネルにより構成する（覆う）事が広く行なわれている。又、近年、ビルディングの外壁面の意匠を考慮して、上記ガラスパネルとして大きなものを使用する事が考えられている。特に、このガラスパネルとして、上記ビルディングの１階分の高さを有するものを使用する事も検討されている。
【０００３】
この様に大きな高さ寸法を有するガラスパネルを使用する場合には、強風時等に於けるこのガラスパネルの撓みが無視できなくなる。即ち、ガラスパネルに強風が吹き付ける際には、このガラスパネルが屋内側に押され、このガラスパネルが屋内側に撓む傾向になる。一方、このガラスパネルと平行な強風が吹く場合には、このガラスパネルの屋外側の圧力が屋内側の圧力よりも低くなり、このガラスパネルが屋外側に押され、このガラスパネルが屋外側に撓む傾向になる。
【０００４】
この様にして生じるガラスパネルの撓みが著しくなると、このガラスパネルが割れる為、対策を講じる必要がある。従来一般的には、上記ガラスパネルの左右両側縁を方立により抑えていたが、方立を使用すると、この方立がビルディングを外側から見た場合に目立つ様になり、このビルディングの外壁面の意匠をすっきりしたものにできない。
【０００５】
この為、上記ガラスパネルの中間部をビルディングの支持柱に対して目立たない様に支持する構造の実現が望まれている。又、地震の際に上記ガラスパネルと支持柱とは、各種方向に相対変位する為、地震の際にこのガラスパネルが割れない様にする為には、支持装置は、上記相対変位を吸収できる構造でなければならない。
本発明のパネルの中間部支持装置は、この様な事情に鑑みて発明したものである。
【０００６】
【課題を解決するための手段】
本発明のパネルの中間部支持装置は、建造物の外面を構成するパネルの中間部を支持して、このパネルがこの建造物の内外方向に関して過度に撓むの防止するものである。
この様な本発明のパネルの中間部支持装置は、結合梁と、揺動ブラケットと、パネル側結合ブラケットと、ピンと、挿入孔とを備える。このうちの結合梁は、上記建造物に固定した支持柱に、この支持柱から屋外側に向け突出する状態で支持固定されている。又、上記揺動ブラケットは、上記結合梁の先端部に、水平方向に配置された横軸を中心とする揺動変位自在に支持されている。又、上記パネル側結合ブラケットは、上記パネルの中間部に支持された状態で、且つこの揺動ブラケットに対し上下方向に重畳した状態で設けられている。又、上記ピンは、このパネル側結合ブラケットと上記揺動ブラケットとのうちの一方のブラケットに、上下方向に支持されている。更に、上記挿入孔は、上記パネル側結合ブラケットと揺動ブラケットとのうちの他方のブラケットに、上下方向に形成されている。そして、この挿入孔内に上記ピンを緩く挿入する事により、上記パネル側結合ブラケットの上記建造物の内外方向に関する変位を抑えている。
【０００７】
【作用】
上述の様に構成する本発明のパネルの中間部支持装置によれば、パネルの中間部を建造物に固定した支持柱に対して目立たない様に支持できる。即ち、このパネルの中間部は、結合梁と揺動ブラケットとパネル側結合ブラケットとピンとを介して上記支持柱に支持される為、上記パネルの両面同士の間で圧力差が生じても、このパネルが、上記ピンが挿入孔の内側で屋内外方向に変位できる範囲を超えて、過大に撓む事を防止できる。しかも、このパネルの屋外側に露出するのは、上記パネル側結合ブラケットの一部のみで、屋外側から見た場合に目立つ事はない。
又、地震の際には、上記揺動ブラケットが上記結合梁に対し、横軸を中心に揺動したり、或は上記ピンが挿入孔に対し上下方向並びに水平方向に相対変位する事により、上記パネルと支持柱とが、各種方向に相対変位する。この為、地震の際にこのパネルの中間部で上記パネル側結合ブラケットを支持固定した部分に大きな力が加わる事はなく、上記パネルが割れる事はない。
【０００８】
【発明の実施の形態】
図１〜１１は、本発明の実施の形態の第１例を示している。本例のパネルの中間部支持装置は、図１〜３に示す様に、ビルディングの外面を構成するガラスパネル１、１の左右両側縁の高さ方向中間部２個所位置ずつを支持して、これら各ガラスパネル１、１が上記ビルディングの内外方向に関して過度に撓むの防止するものである。尚、上記各ガラスパネル１、１の上下両端縁部は、それぞれ上記ビルディングの床部２、２の端部に支持チャンネル３、３により固定した支持枠４、４に支持している。
【０００９】
上述の様にして、それぞれの上下両端縁部をそれぞれ支持枠４、４に支持した、上記各ガラスパネル１、１の左右両側縁部の高さ方向中間部２個所位置ずつを、本発明のパネルの中間部支持装置により、ビルディング側に固定した支持柱５、５に支持している。このパネルの中間部支持装置はそれぞれ、結合梁６と、揺動ブラケット７と、パネル側結合ブラケット８と、ピン９と、挿入孔１０とを備える。
【００１０】
このうちの結合梁６は、上記ビルディングに、上記支持チャンネル３、３を介して固定した支持柱５に、この支持柱５から屋外側（図２、４、５、８の左側、図３、６、７の下側）に向け突出する状態で支持固定されている。即ち、上記支持柱５の屋外側面に上記結合梁６の断面形状に合わせて形成した、上下方向に長いスリット状の透孔を挿通したこの結合梁６の基端面を、上記支持柱５の内周面屋内側端部に突き当てた状態で、この結合梁６の中間部外周面と上記透孔の内周縁部分を溶接している。この様な結合梁６の先端部（屋外側端部）には、円孔１１（図６〜７）を形成している。
【００１１】
又、上記揺動ブラケット７は、アルミニウム合金の引き抜き材を切断する事により構成したもので、上記結合梁６の先端部に、ボルト１２とナット１３とにより支持している。尚、図示の例は、１個の結合梁６により水平方向に隣り合う２枚のガラスパネル１、１の中間部を支持すべく、１個の結合梁６の先端部に、２個の揺動ブラケット７、７を支持している。これら各揺動ブラケット７、７はそれぞれ、平板状の取付板部１４の先端部（屋外側端部）に係止筒部１５を設けて成る。そして、この係止筒部１５に上記挿入孔１０を、上下方向に亙り形成している。本例の場合、この挿入孔１０は、断面円形とし、上記係止筒部１５を上下方向に貫通する状態で形成している。又、上記取付板部１４の基端部（屋内側端部）には、円孔１６を形成している。
【００１２】
それぞれが上述の様な構成を有する各揺動ブラケット７、７は、それぞれの取付板部１４と上記結合梁６の側面との間に滑り板１７を介在させた状態で、この結合梁６と重ね合わせる。そして、上記各円孔１１、１６を挿通した上記ボルト１２と上記ナット１３とを螺合する事により、上記各揺動ブラケット７、７を上記結合梁６の先端部に結合支持している。この状態では、上記ボルト１２が特許請求の範囲に記載した横軸として機能し、上記各揺動ブラケット７、７は、上記ボルト１２を中心とする揺動変位自在に支持される。
【００１３】
又、前記パネル側結合ブラケット８は、アルミニウム合金の引き抜き材を切断し、更に一部を切除する事により構成したもので、上記各ガラスパネル１、１の高さ方向中間部に支持している。図示の例では、上記パネル側結合ブラケット８は、基半部（屋内側半部）に前記ピン９を支持する為のピン支持部１８を、先半部（屋外側半部）にパネル保持部１９を、それぞれ設けている。このうちのピン支持部１８は、上下１対の支持腕部２０、２０を有し、これら両支持腕部２０、２０に、互いに同心の支持孔２１、２１を形成している。本発明のパネルの中間部支持装置を構成した状態では、上記両支持腕部２０、２０を上記揺動ブラケット７の先端部に設けた、前記係止筒部１５の上下に配置する（係止筒部１５に対し上下方向に重畳した状態で設ける）。
【００１４】
そして、上記両支持孔２１、２１にその上下両端部を嵌合させた上記ピン９の中間部を、前記係止筒部１５に設けた挿入孔１０に、緩く挿通している。上記１対の支持腕部２０、２０同士の間隔Ｄ20は、上記係止筒部１５の高さＨ15よりも大きい（Ｄ20＞Ｈ15）。従って、上記パネル側結合ブラケット８は上記揺動ブラケット７に対し、昇降並びに水平方向（三次元方向）に関する若干の相対変位自在となる。尚、上記ピン９は、その上端部又は下端部に形成した雄ねじ部を、上記両支持孔２１、２１のうちの何れかの内周面に形成した雌ねじと螺合させても良いが、ねじ部は一切設けずに、単に上記両支持孔２１、２１挿通するのみでも良い。
【００１５】
上記各ガラスパネル１、１の左右両側縁の高さ方向中間部は、上述の様なパネル側結合ブラケット８のパネル保持部１９に、若干の揺動変位自在に結合している。この為にこのパネル保持部１９に、上記各ガラスパネル１の厚さ寸法Ｔ1 よりも大きな幅寸法Ｗ22を有する保持凹溝２２を設けている。これら各ガラスパネル１は、その側縁部をこの保持凹溝２２に進入させた状態で、この側縁部の両面とこの保持凹溝２２の両内側面との間に弾性を有するシール材２３、２３を充填する事により、上記パネル保持部１９に結合支持している。従って、上記各ガラスパネル１と上記パネル側結合ブラケット８とは、上記シール材２３、２３の弾性変形に基づく若干の揺動変位自在に結合されている。
【００１６】
上述の様に構成する本発明のパネルの中間部支持装置によれば、ガラスパネル１、１の高さ方向中間部をビルディングに固定した支持柱５に対して目立たない様に支持できる。即ち、上記各ガラスパネル１、１の高さ方向中間部は、結合梁６と揺動ブラケット７とパネル側結合ブラケット８とピン９とを介して上記支持柱５に支持される為、上記各ガラスパネル１、１の両面同士の間で圧力差が生じても、これら各ガラスパネル１、１が、上記ピン９が上記揺動ブラケット７に設けた挿入孔１０の内側で屋内外方向に変位できる範囲を超えて、過大に撓む事を防止できる。しかも、上記各ガラスパネル１、１の屋外側に露出するのは、上記パネル側結合ブラケット８の先端部のみで、屋外側から見た場合に目立つ事はない。
【００１７】
又、地震の際には、図１１に実線及び破線で示す様に、上記揺動ブラケット７が上記結合梁６に対し、前記ボルト１２を中心に揺動したり、或は上記ピン９が挿入孔１０に対し上下方向並びに水平方向に相対変位する事により、上記各ガラスパネル１、１と支持柱５とが、各種方向に相対変位する（尚、図１１では、各部材の中立位置を二点鎖線で示している）。即ち、これら各ガラスパネル１、１と支持柱５とが上下方向に変位した場合には、前記揺動ブラケット７の先端部に設けた係止筒部１５が上記パネル側結合ブラケット８の基半部に設けた上下１対の支持腕部２０、２０同士の間で変位できる範囲内で、上記各ガラスパネル１、１と支持柱５との上下方向の変位を吸収する。
【００１８】
又、これら各ガラスパネル１、１と支持柱５とが水平方向に変位した場合には、上記ピン９が上記係止筒部１５に設けた挿入孔１０の内側でその径方向に変位できる範囲内で、上記各ガラスパネル１、１と支持柱５との水平方向の変位を吸収する。更に、地震或は強風により上記各ガラスパネル１、１と上記各パネル側結合ブラケット８との位置関係が変位した場合には、前記シール材２３、２３が弾性変形する事により、この変位を吸収する。これらの作用により、地震の際に上記各ガラスパネル１、１の中間部で上記各パネル側結合ブラケット８、８を支持固定した部分に大きな力が加わる事を防止できて、上記各ガラスパネル１、１が割れる事を防止できる。
【００１９】
尚、地震の際の水平方向の変位は、上記各ガラスパネル１、１の許容撓み量に比べて小さい為、上記地震の際の水平方向の変位を吸収できる様にしても、強風時に上記各ガラスパネル１、１が許容限度を越えて撓む事は、確実に防止できる。
【００２０】
次に、図１２は、本発明の実施の形態の第２例を示している。本例の場合には、パネル側結合ブラケット８ａの基半部に設けたピン支持部１８ａを、上半部に設けた１個の支持腕部２０ａにより構成している。パネルの中間部支持装置を構成した状態では、この支持腕部２０ａを揺動ブラケット７の先端部に設けた、係止筒部１５の上方に配置する。そして、上記支持腕部２０ａに形成した支持孔２１にその上端部を嵌合させたピン９の下端部を、上記係止筒部１５に設けた挿入孔１０に、緩く挿入している。尚、上記支持孔２１に対して上記ピン９の中間部乃至は上端部は、緩く挿通しても、締り嵌めで内嵌しても、或はねじ止め固定しても良い。その他の構成及び作用は、上述した第１例の場合と同様であるから、重複する図示並びに説明は省略する。
【００２１】
【発明の効果】
本発明のパネルの中間部支持装置は、以上に述べた通り構成し作用するので、ビルディングの外壁面の意匠をすっきりしたものにすべく、パネルの中間部をビルディングの支持柱に対して目立たない様に支持でき、しかも地震の際にパネルの一部に大きな力が加わる事を防止して、このパネルが割れない様にできる。
【図面の簡単な説明】
【図１】本発明のパネルの中間部支持装置の実施の形態の第１例の構造を組み付けたビルディングの外壁面の一部正面図。
【図２】図１のＡ−Ａ断面図。
【図３】同Ｂ−Ｂ断面図。
【図４】図２のＣ部拡大図。
【図５】同Ｄ部拡大図。
【図６】図３のＥ部拡大図。
【図７】図６のＦ部拡大図。
【図８】図７のＧ矢視図。
【図９】図６のＦ部を、ガラスパネルを除いて屋外側から見た斜視図。
【図１０】同じく屋内側から見た斜視図。
【図１１】地震による変位状態を示す、図７のＨ矢視図。
【図１２】本発明の実施の形態の第２例を示す、図８と同様の図。
【符号の説明】
１    ガラスパネル
２    床部
３    支持チャンネル
４    支持枠
５    支持柱
６    結合梁
７    揺動ブラケット
８、８ａ  パネル側結合ブラケット
９    ピン
１０    挿入孔
１１    円孔
１２    ボルト
１３    ナット
１４    取付板部
１５    係止筒部
１６    円孔
１７    滑り板
１８、１８ａ  ピン支持部
１９    パネル保持部
２０、２０ａ  支持腕部
２１    支持孔
２２    保持凹溝
２３    シール材
【図１】
0004184559.tif 000002
【図２】
0004184559.tif 000003
【図３】
0004184559.tif 000004
【図４】
0004184559.tif 000005
【図５】
0004184559.tif 000006
【図６】
0004184559.tif 000007
【図７】
0004184559.tif 000008
【図８】
0004184559.tif 000009
【図９】
0004184559.tif 000010
【図１０】
0004184559.tif 000011
【図１１】
0004184559.tif 000012
【図１２】
0004184559.tif 000013